(57)【要約】【課題】１台の通信装置を複数の独立した通信装置として使用できるようにする。【解決手段】本発明の通信装置は、第１のユニットと、第１のユニットと連結可能な第２のユニットと、を備え、第１のユニットは、第１の入力部と、第１のユニットと前記第２のユニットとが連結された状態、および、第１のユニットと第２のユニットとが分離された状態において、第１の加入者情報を用いた通信が可能な第１の通信部と、を有し、前記第２のユニットは、第２の入力部と、第１のユニットと第２のユニットとが分離している状態において、第２の加入者情報を用いた通信が可能な第２の通信部と、第１のユニットと第２のユニットとが分離された状態であり、かつ、第１または第２の入力部に第２のユニットによる通信を許可する旨の許可入力が行われた場合には、第２の加入者情報を用いた通信を第２の通信部に許可する第２の制御部と、を有する。【選択図】図１
2013236352.tif 000002
【特許請求の範囲】
【請求項１】
第１のユニットと、前記第１のユニットと連結可能な第２のユニットと、を備え、
前記第１のユニットは、
操作入力が行われる第１の入力部と、
前記第１のユニットと前記第２のユニットとが連結された状態、および、前記第１のユニットと前記第２のユニットとが分離された状態において、第１の加入者情報を用いた通信が可能な第１の通信部と、
前記第１のユニットに備えられた機能を前記第１の入力部を介した入力に応じて実行する第１の制御部と、を有し、
前記第２のユニットは、
操作入力が行われる第２の入力部と、
前記第１のユニットと前記第２のユニットとが分離している状態において、第２の加入者情報を用いた通信が可能な第２の通信部と、
前記第１のユニットと前記第２のユニットとが分離された状態であり、かつ、前記第１または第２の入力部に前記第２のユニットによる通信を許可する旨の許可入力が行われた場合には、前記第２の加入者情報を用いた通信を前記第２の通信部に許可する第２の制御部と、を有することを特徴とする通信装置。
【請求項２】
請求項１記載の通信装置において、
前記第２の制御部は、前記許可入力が行われずに前記第１のユニットと前記第２のユニットとが分離された場合には、前記第２の加入者情報を用いた通信を前記第２の通信部に許可せず、前記第２の入力部を介した入力に応じて、前記第２のユニットが備える機能を実行することを特徴とする通信装置。
【請求項３】
請求項１または２記載の通信装置において、
前記第２の制御部は、前記第１のユニットと前記第２のユニットとが分離された状態であり、かつ、前記許可入力が行われた場合には、前記第２のユニットが備える機能の利用を制限することを特徴とすることを特徴とする通信装置。
【請求項４】
請求項１から３のいずれか１項に記載の通信装置において、
前記第１の制御部は、前記第１のユニットと前記第２のユニットとが分離された状態であり、かつ、前記許可入力が行われた場合には、前記第１のユニットが備える機能の利用を制限することを特徴とすることを特徴とする通信装置。
【請求項５】
第１のユニットと、前記第１のユニットと連結可能な第２のユニットと、を備える通信装置の制御方法であって、
前記第１のユニットと前記第２のユニットとが連結された状態、および、前記第１のユニットと前記第２のユニットとが分離された状態において、第１の加入者情報を用いた通信を行い、
前記第１のユニットと前記第２のユニットとが分離された状態であり、かつ、前記第１のユニットに備えられた第１の入力部または前記第２のユニットに備えられた第２の入力部に前記第２のユニットによる通信を許可する旨の許可入力が行われた場合には、前記第２の加入者情報を用いた通信を行うことを特徴とする通信装置の制御方法。
【請求項６】
請求項５記載の通信装置の制御方法において、
前記許可入力が行われずに前記第１のユニットと前記第２のユニットとが分離された場合には、前記第２の加入者情報を用いた通信を行わず、前記第２の入力部を介した入力に応じて、前記第２のユニットが備える機能を実行することを特徴とする通信装置の制御方法。
【請求項７】
請求項５または６記載の通信装置の制御方法において、
前記第１のユニットと前記第２のユニットとが分離された状態であり、かつ、前記許可入力が行われた場合には、前記第２のユニットが備える機能の利用を制限することを特徴とすることを特徴とする通信装置の制御方法。
【請求項８】
請求項５から７のいずれか１項に記載の通信装置の制御方法において、
前記第１のユニットと前記第２のユニットとが分離された状態であり、かつ、前記許可入力が行われた場合には、前記第１のユニットが備える機能の利用を制限することを特徴とすることを特徴とする通信装置の制御方法。
【請求項９】
第１のユニットと、前記第１のユニットと連結可能な第２のユニットと、を備える通信装置内のプログラムに、
前記第１のユニットと前記第２のユニットとが連結された状態、および、前記第１のユニットと前記第２のユニットとが分離された状態において、第１の加入者情報を用いた通信を行う処理と、
前記第１のユニットと前記第２のユニットとが分離された状態であり、かつ、前記第１のユニットに備えられた第１の入力部または前記第２のユニットに備えられた第２の入力部に前記第２のユニットによる通信を許可する旨の許可入力が行われた場合には、前記第２の加入者情報を用いた通信を行う処理と、を実行させるプログラム。
【発明の詳細な説明】
【技術分野】
【０００１】
本発明は、セパレート型の通信装置、通信装置の制御方法およびプログラムに関する。
【背景技術】
【０００２】
通話の発着信、メールの送受信、インターネットへのアクセスなどの通信を行う通信機能を備える携帯電話、スマートフォンなどの通信装置の中には、第１のユニットと、第１のユニットと連結可能な第２のユニットと、を有するものがある。このような通信装置は、一般に、セパレート型の通信装置と呼ばれる。
【０００３】
特許文献１（特開２００６−１２１２３９号公報）には、通信機能を備えるメインユニットと、表示機能を備えるサブユニットと、を有するセパレート型の通信装置が開示されている。
【０００４】
通信装置を用いて通話を行う場合には、ユーザは、通信装置のスピーカが自身の耳の近傍に位置する状態で通信装置を保持する。このような状態では、セパレート型ではない通信装置においては、ユーザにとっては、表示部の表示が見にくくなる。そのため、通信装置に記憶されている第三者の電話番号を通話相手に伝える場合などに、その電話番号が表示部に表示されたとしても、その表示が見にくいため、使い勝手が悪いという問題があった。特許文献１に開示のセパレート型の通信装置によれば、ユーザは、メインユニットとサブユニットとを分離し、サブユニット上で第三者の電話番号などを表示しながら、メインユニットを用いて通話を行うことができるので、利便性が向上する。
【先行技術文献】
【特許文献】
【０００５】
【特許文献１】特開２００６−１２１２３９号公報
【発明の概要】
【発明が解決しようとする課題】
【０００６】
ユーザが外出時などに自分の子供などの同伴者と、少しの間、離れて行動しなければならない場合がある。このような場合、ユーザは、その同伴者と連絡を取ることができるようにしておきたいと考えることが多い。ユーザとその同伴者とが連絡を取ることができるようにするためには、通常、通信装置を２台用意し、１台をユーザが持ち、もう１台をその同伴者に持たせる必要がある。しかし、通信装置を２台用意したり、２台の通信装置を持ち歩いたりするのは、手間がかかるという問題がある。
【０００７】
本発明の目的は、１台の通信装置を複数の独立した通信装置として使用することができる通信装置、通信装置の制御方法およびプログラムを提供することにある。
【課題を解決するための手段】
【０００８】
上記目的を達成するために本発明の通信装置は、
第１のユニットと、前記第１のユニットと連結可能な第２のユニットと、を備え、
前記第１のユニットは、
操作入力が行われる第１の入力部と、
前記第１のユニットと前記第２のユニットとが連結された状態、および、前記第１のユニットと前記第２のユニットとが分離された状態において、第１の加入者情報を用いた通信が可能な第１の通信部と、
前記第１のユニットに備えられた機能を前記第１の入力部を介した入力に応じて実行する第１の制御部と、を有し、
前記第２のユニットは、
操作入力が行われる第２の入力部と、
前記第１のユニットと前記第２のユニットとが分離している状態において、第２の加入者情報を用いた通信が可能な第２の通信部と、
前記第１のユニットと前記第２のユニットとが分離された状態であり、かつ、前記第１または第２の入力部に前記第２のユニットによる通信を許可する旨の許可入力が行われた場合には、前記第２の加入者情報を用いた通信を前記第２の通信部に許可する第２の制御部と、を有する。
【０００９】
上記目的を達成するために本発明の通信装置の制御方法は、
第１のユニットと、前記第１のユニットと連結可能な第２のユニットと、を備える通信装置の制御方法であって、
前記第１のユニットと前記第２のユニットとが連結された状態、および、前記第１のユニットと前記第２のユニットとが分離された状態において、第１の加入者情報を用いた通信を行い、
前記第１のユニットと前記第２のユニットとが分離された状態であり、かつ、前記第１のユニットに備えられた第１の入力部または前記第２のユニットに備えられた第２の入力部に前記第２のユニットによる通信を許可する旨の許可入力が行われた場合には、前記第２の加入者情報を用いた通信を行う。
【００１０】
上記目的を達成するために本発明のプログラムは、
第１のユニットと、前記第１のユニットと連結可能な第２のユニットと、を備える通信装置内のプログラムに、
前記第１のユニットと前記第２のユニットとが連結された状態、および、前記第１のユニットと前記第２のユニットとが分離された状態において、第１の加入者情報を用いた通信を行う処理と、
前記第１のユニットと前記第２のユニットとが分離された状態であり、かつ、前記第１のユニットに備えられた第１の入力部または前記第２のユニットに備えられた第２の入力部に前記第２のユニットによる通信を許可する旨の許可入力が行われた場合には、前記第２の加入者情報を用いた通信を行う処理と、を実行させる。
【発明の効果】
【００１１】
本発明によれば、１台の通信装置を複数の独立した通信装置として使用することができる。
【図面の簡単な説明】
【００１２】
【図１】本発明の第１の実施形態の通信装置の要部構成を示すブロック図である。
【図２】本発明の第２の実施形態の通信装置のメインユニットの構成を示すブロック図である。
【図３】本発明の第２の実施形態の通信装置のサブユニットの構成を示すブロック図である。
【図４】本発明の第２の実施形態の通信装置の動作を示すフローチャートである。
【発明を実施するための形態】
【００１３】
以下に、本発明を実施するための形態について図面を参照して説明する。
【００１４】
（第１の実施形態）
図１は、本発明の第１の実施形態の通信装置１０の要部構成を示すブロック図である。なお、本発明に係る通信装置は、通話の発着信、メールの送受信、インターネットへのアクセスなどの通信を行う通信を行う通信機能を備えるものであり、具体例としては、携帯電話、スマートフォン、タブレット型あるいはノート型のパーソナルコンピュータ、携帯型ゲーム機、ＰＤＡ（Ｐｅｒｓｏｎａｌ  Ｄｉｇｉｔａｌ  Ａｓｓｉｓｔａｎｔ）などがある。
【００１５】
図１に示す通信装置１０は、メインユニット１００と、メインユニット１００と連結可能なサブユニット１５０と、を有する。メインユニット１００は、第１のユニットの一例であり、サブユニット１５０は、第２のユニットの一例である。
【００１６】
メインユニット１００とサブユニット１５０とは、連結している状態において、１台の通信装置として動作する。また、メインユニット１００とサブユニット１５０とは、分離している状態において、独立に動作可能である。なお、メインユニット１００とサブユニット１５０とは、近距離無線通信を用いて通信可能である。
【００１７】
メインユニット１００は、入力部１０１と、通信部１０２と、制御部１０３と、を有する。入力部１０１は、第１の入力部の一例であり、通信部１０２は、第１の通信部の一例であり、制御部１０３は、第１の制御部の一例である。
【００１８】
入力部１０１は、ユーザからの操作入力を受け付ける。
【００１９】
通信部１０２は、メインユニット１００とサブユニット１５０とが連結された状態、および、メインユニット１００とサブユニット１５０とが分離された状態において、電話番号、メールアドレスなどの通信装置１０のユーザに割り当てられた情報である加入者情報（第１の加入者情報）を用いた通信が可能である。
【００２０】
制御部１０３は、メインユニット１００に備えられた機能を入力部１０１を介した入力に応じて実行する。
【００２１】
サブユニット１５０は、入力部１５１と、通信部１５２と、制御部１５３と、を有する。入力部１５１は、第２の入力部の一例であり、通信部１５２は、第２の通信部の一例であり、制御部１５３は、第２の制御部の一例である。
【００２２】
入力部１５１は、ユーザからの操作入力を受け付ける。
【００２３】
通信部１５２は、メインユニット１００とサブユニット１５０とが分離された状態において、第２の加入者情報を用いた通信が可能である。
【００２４】
制御部１５３は、サブユニット１５０に備えられた機能を入力部１５１を介した入力に応じて実行する。制御部１５３は、メインユニット１００とサブユニット１５０とが分離された状態であり、かつ、入力部１０１または入力部１５１にサブユニット１５０を用いた通信を許可する旨の許可入力が行われた場合には、第２の加入者情報を用いた通信を通信部１５２に許可する。
【００２５】
次に、本実施形態の通信装置１０の動作について説明する。
【００２６】
メインユニット１００とサブユニット１５０とが連結された状態では、通信部１０２は、第１の加入者情報を用いた通信が可能である。また、制御部１５３は、メインユニット１００とサブユニット１５０とが連結された状態であるため、通信部１５２に第２の加入者情報を用いた通信を許可しない。
【００２７】
したがって、メインユニット１００とサブユニット１５０とが連結された状態においては、第１の加入者情報のみを用いた電話の発着信、メールの送受信、インターネットへのアクセスなどが可能となる。
【００２８】
メインユニット１００とサブユニット１５０とが分離している状態においても、通信部１０２は、第１の加入者情報を用いた通信が可能である。また、制御部１５３は、メインユニット１００とサブユニット１５０とが分離された状態であり、かつ、入力部１０１または入力部１５１に許可入力が行われた場合には、第２の加入者情報を用いた通信を通信部１５２に許可する。そのため、メインユニット１００とサブユニット１５０とを、それぞれ独立した通信装置として使用することができる。なお、制御部１５３は、メインユニット１００とサブユニット１５０とが分離された状態であっても、許可入力が行われていない場合には、第２の加入者情報を用いた通信を通信部１５２に許可せず、サブユニット１５０に備えられた機能を入力部１０１を介した入力に応じて実行する。
【００２９】
このように本実施形態の通信装置１０は、第１の加入者情報を用いて通信を行うことができるメインユニット１００と、メインユニット１００と連結可能なサブユニット１５０とを有し、メインユニット１００とサブユニット１５０とが分離された状態であり、かつ、サブユニット１５０を用いた通信を許可する旨を示す許可入力が行われた場合には、サブユニット１５０において、第２の加入者情報を用いた通信を可能とする。
【００３０】
そのため、１台の通信装置を複数の独立した通信装置として使用することができる。
【００３１】
（第２の実施形態）
本発明の第２の実施形態の通信装置は、第１の実施形態の通信装置１０と同様に、メインユニット２００と、メインユニット２００と連結可能なサブユニット２５０と、を有する。
【００３２】
図２は、本実施形態の通信装置のメインユニット２００の構成を示すブロック図である。
【００３３】
メインユニット２００は、バス２０９を介して接続された、入力部２０１と、制御部２０２と、ＲＯＭ（Ｒｅａｄ  Ｏｎｌｙ  Ｍｅｍｏｒｙ）２０３と、ＲＡＭ（Ｒａｎｄｏｍ  Ａｃｃｅｓｓ  Ｍｅｍｏｒｙ）２０４と、タイマ部２０５と、表示部２０６と、通信部２０７と、近距離通信部２０８と、を有する。入力部２０１は、第１の入力部の一例であり、制御部２０２は、第１の制御部の一例であり、通信部２０７は、第１の通信部の一例である。
【００３４】
入力部２０１は、ユーザからの操作入力を受け付ける入力回路である。なお、入力部２０１の具体例としては、１または複数のキーからなるキー入力部やタッチパネルなどがある。なお、本実施形態においては、入力部２０１は、複数のキーからなるものとする。
【００３５】
制御部２０２は、入力部２０１を介した入力に応じて各種の演算処理を行い、メインユニット２００に備えられた機能を実行する。
【００３６】
ＲＯＭ２０３は、制御部２０２が演算処理を行うための制御プログラムを記憶する。また、ＲＯＭ２０３は、かな文字変換などに使用される辞書データなどの固定的なデータを記憶する。
【００３７】
ＲＡＭ２０３は、制御部２０２が演算処理を行う上で一時的に必要となるデータを記憶する。
【００３８】
タイマ部２０５は、時間を計測する計時回路である。
【００３９】
表示部２０６は、種々の映像を表示する。表示部２０６の具体例としては、白黒あるいはカラーの液晶パネル、有機ＥＬ（Ｅｌｅｃｔｒｏｌｕｍｉｎｅｓｃｅｎｃｅ）パネルなどがある。
【００４０】
通信部２０７は、メインユニット２００とサブユニット２５０とが連結された状態、および、メインユニット２００とサブユニット２５０とが分離された状態において、第１の加入者情報を用いた通信が可能である。
【００４１】
近距離通信部２０８は、サブユニット２５０との間で近距離無線通信を行う。
【００４２】
図３は、本実施形態の通信装置のサブユニット２５０の構成を示すブロック図である。
【００４３】
メインユニット２５０は、バス２５９を介して接続された、入力部２５１と、制御部２５２と、ＲＯＭ２５３と、ＲＡＭ２５４と、非接触ＩＣチップ２５５と、表示部２５６と、通信部２５７と、近距離通信部２５８と、を有する。入力部２５１は、第２の入力部の一例であり、制御部２５２は、第２の制御部の一例であり、通信部２５７は、第２の通信部の一例である。
【００４４】
入力部２５１は、ユーザからの操作入力を受け付ける入力回路である。なお、入力部２５１の具体例としては、１または複数のキーからなるキー入力部やタッチパネルなどがある。
【００４５】
制御部２５２は、入力部２５１を介した入力に応じて各種の演算処理を行い、サブユニット２５０に備えられた機能を実行する。制御部２５２は、メインユニット２００とサブユニット２５０とが分離された状態であり、かつ、入力部２０１または入力部２５１にサブユニット２５０を用いた通信を許可する旨の許可入力が行われた場合には、第２の加入者情報を用いた通信を通信部２５７に許可する。
【００４６】
ＲＯＭ２５３は、制御部２５２が演算処理を行うための制御プログラムなどの固定的なデータを記憶する。
【００４７】
ＲＡＭ２５４は、制御部２５２が演算処理を行う上で一時的に必要となるデータを記憶する。
【００４８】
非接触ＩＣチップ２５５は、電子マネーを介した決済に用いられる回路である。非接触ＩＣチップ２５５を用いた決済は、メインユニット２００とサブユニット２５０とが連結している状態、および、メインユニット２００とサブユニット２５０とが分離している状態のいずれにおいても可能である。
【００４９】
表示部２５６は、種々の映像を表示する。表示部２５６の具体例としては、白黒あるいはカラーの液晶パネル、有機ＥＬパネルなどがある。
【００５０】
通信部２５７は、メインユニット２００とサブユニット２５０とが分離された状態において、第２の加入者情報を用いた通信が可能である。
【００５１】
近距離通信部２５８は、メインユニット２００との間で近距離無線通信を行う。
【００５２】
次に、本実施形態の通信装置の動作について、図４に示すフローチャートを参照して説明する。
【００５３】
なお、以下では、メインユニット２００とサブユニット２５０とが連結されており、通信装置が待ち受け状態であるとする。
【００５４】
メインユニット２００とサブユニット２５０とが連結されている状態では、通信部２０７は、第１の加入者情報を用いた通信が可能である。また、制御部２５２は、メインユニット２００とサブユニット２５０とが接続された状態であるため、通信部２５７に第２の加入者情報を用いた通信を許可しない。したがって、メインユニット２００とサブユニット２５０とが連結された状態では、第１の加入者情報のみを用いた通信が可能となる。
【００５５】
制御部２０２は、入力部２０１のキーが押下されたか否かを判定する（ステップＳ４１）。
【００５６】
キーが押下されていない場合には（ステップＳ４１：Ｎｏ）、制御部２０２は、ステップＳ４１の処理を繰り返す。
【００５７】
キーが押下された場合には（ステップＳ４１：Ｙｅｓ）、制御部２０２は、押下されたキーが予め定められた特定のキーであるか否かを判定する（ステップＳ４２）。
【００５８】
押下されたキーが特定のキーでない場合には（ステップＳ４２：Ｎｏ）、制御部２０２は、押下されたキーに応じた処理を行い（ステップＳ４３）、処理を終了する。
【００５９】
押下されたキーが特定のキーである場合には（ステップＳ４２：Ｙｅｓ）、制御部２０２は、タイマ部２０５に計時を開始させる（ステップＳ４４）。
【００６０】
次に、制御部２０２は、特定のキーが押下されたまま、所定時間が経過したか否かを判定する（ステップＳ４５）。
【００６１】
所定時間が経過する前に特定のキーの押下が解除された場合には（ステップＳ４５：Ｎｏ）、制御部２０２は、ステップＳ４３の処理に進む。
【００６２】
特定のキーが押下されたまま、所定時間が経過した場合には（ステップＳ４５：Ｙｅｓ）、制御部２０２は、サブユニット２５０を用いた通信を許可する旨を示す許可入力が行われたものと判定し、許可入力が行われた旨の通知を、近距離通信部２０８にサブユニット２５０へ送信させる（ステップＳ４６）。
【００６３】
許可入力が行われた旨の通知を近距離通信部２５８がメインユニット２００から受信すると、制御部２５２は、非接触ＩＣチップ２５５を用いた決済における上限額の設定を要求する旨を表示部２５６に表示させるなどして、決済における上限額の設定を要求し、要求に応じて入力された金額を上限額として設定する（ステップＳ４７）。このように、サブユニット２５０を独立した通信装置として使用する場合に、非接触ＩＣチップ２５５を用いた決済における上限額を設定することで、通信装置２０のユーザが、サブユニット２５０を他者に貸すような場合にも、ユーザが意図する以上の金額を使用されることがなくなるので、セキュリティの向上を図ることができる。
【００６４】
次に、制御部２５２は、メインユニット２００とサブユニット２５０とが分離されたか否かを判定する（ステップＳ４８）。なお、メインユニット２００とサブユニット２５０とが分離されたか否かを判定するための方法としては、電気的あるいは機械的な種々の方法を用いることができる。
【００６５】
メインユニット２００とサブユニット２５０とが分離されていない場合には（ステップＳ４８：Ｎｏ）、制御部２５２は、ステップＳ４８の処理を繰り返す。
【００６６】
メインユニット２００とサブユニット２５０とが分離された場合には（ステップＳ４８：Ｙｅｓ）、制御部２５２は、メインユニット２００とサブユニット２５０とが分離された状態であり、かつ、許可入力が行われているので、通信部２５７に第２の加入者情報を用いた通信を許可する（ステップＳ４９）。
【００６７】
なお、制御部２５２は、許可入力が行われた旨の通知をメインユニット２００から受信することなく、メインユニット２００とサブユニット２５０とが分離されたことを検出した場合には、通信部２５７に第２の加入者情報を用いた通信を許可せず、入力部２５１を介した入力に応じて、ＲＯＭ２５３に記憶されているデータの閲覧など、サブユニット２５０に備えられた機能を実行させる。
【００６８】
このように本実施形態の通信装置は、第１の加入者情報を用いて通信を行うことができるメインユニット２００と、メインユニット２００と連結可能なサブユニット２５０とを有し、メインユニット２００とサブユニット２５０とが分離された状態であり、かつ、サブユニット２５０を用いた通信を許可する旨を示す許可入力が行われた場合には、サブユニット２５０において、第２の加入者情報を用いた通信を可能とする。
【００６９】
そのため、１台の通信装置を複数の独立した通信装置として使用することができる。
【００７０】
また、本実施形態の通信装置は、サブユニット２５０を独立した通信装置として使用する場合には、サブユニット２５０に備えられた機能の利用を制限する。
【００７１】
そのため、ユーザがサブユニット２５０を独立した通信装置として他者に貸す場合にも、ユーザの意図とは異なる使用がされる可能性を低減し、セキュリティを向上させることができる。
【００７２】
なお、本実施形態においては、サブユニット２５０を独立した通信装置として使用する場合に、サブユニット２５０側の機能を制限する例を用いて説明したが、これに限られるものではない。メインユニット２００側の機能を制限するようにしてもよいし、また、メインユニット２００およびサブユニット２５０両方の機能を制限するようにしてもよい。
【００７３】
また、本実施形態においては、非接触ＩＣチップ２５５を用いた電子マネーを介した決済における上限額を制限する例を用いて説明したが、これに限られるものではなく、インターネットへの接続の可否、また、通話料金やインターネットへの接続料金に応じて、通話時間やインターネットへの接続時間を制限するようにしてもよい。
【００７４】
また、本実施形態においては、ユーザが利用を制限する内容を入力する例を用いて説明したが、予め定められた内容で機能の利用が制限されるようにしてもよい。
【００７５】
また、本実施形態においては、メインユニット２００とサブユニット２５０とが連結された状態で許可入力が行われた後に、メインユニット２００とサブユニット２５０とが分離された場合に、サブユニット２５０を独立した通信装置として使用する例を用いて説明したが、これに限られるものではない。メインユニット２００とサブユニット２５０とが分離された状態において、許可入力が行われた場合にも、サブユニット２５０を独立した通信装置として使用するようにしてもよい。要は、メインユニット２００とサブユニット２５０とが分離された状態であり、かつ、許可入力が行われたという条件が満たされれば、サブユニット２５０を独立した通信装置として使用することとすればよい。
【００７６】
また、本実施形態においては、入力部や表示部がメインユニット２００およびサブユニット２５０両方に設けられる例を用いて説明したが、これに限られるものではなく、入力部や表示部は、メインユニット２００およびサブユニット２５０のいずれか一方にのみ設けられていてもよい。
【００７７】
また、本実施形態においては、通信装置がメインユニットとサブユニットの２つのユニットからなる例を用いて説明したが、これに限られるものではない。通信装置は、それぞれ異なる加入者情報を用いた通信が可能な３以上のユニットからなるものであってもよい。
【００７８】
なお、本発明の通信装置にて行われる方法は、コンピュータに実行させるためのプログラムに適用してもよい。また、そのプログラムを記憶媒体に格納することも可能であり、ネットワークを介して外部に提供することも可能である。
【００７９】
上記の実施形態の一部または全部は、以下の付記のようにも記載されうるが、以下には限られない。
【００８０】
（付記１）
第１のユニットと、前記第１のユニットと連結可能な第２のユニットと、を備え、
前記第１のユニットは、
操作入力が行われる第１の入力部と、
前記第１のユニットと前記第２のユニットとが連結された状態、および、前記第１のユニットと前記第２のユニットとが分離された状態において、第１の加入者情報を用いた通信が可能な第１の通信部と、
前記第１のユニットに備えられた機能を前記第１の入力部を介した入力に応じて実行する第１の制御部と、を有し、
前記第２のユニットは、
操作入力が行われる第２の入力部と、
前記第１のユニットと前記第２のユニットとが分離している状態において、第２の加入者情報を用いた通信が可能な第２の通信部と、
前記第１のユニットと前記第２のユニットとが分離された状態であり、かつ、前記第１または第２の入力部に前記第２のユニットによる通信を許可する旨の許可入力が行われた場合には、前記第２の加入者情報を用いた通信を前記第２の通信部に許可する第２の制御部と、を有することを特徴とする通信装置。
【００８１】
（付記２）
付記１記載の通信装置において、
前記第２の制御部は、前記許可入力が行われずに前記第１のユニットと前記第２のユニットとが分離された場合には、前記第２の加入者情報を用いた通信を前記第２の通信部に許可せず、前記第２の入力部を介した入力に応じて、前記第２のユニットが備える機能を実行することを特徴とする通信装置。
【００８２】
（付記３）
付記１または２記載の通信装置において、
前記第２の制御部は、前記第１のユニットと前記第２のユニットとが分離された状態であり、かつ、前記許可入力が行われた場合には、前記第２のユニットが備える機能の利用を制限することを特徴とすることを特徴とする通信装置。
【００８３】
（付記４）
付記１から３のいずれか１つに記載の通信装置において、
前記第１の制御部は、前記第１のユニットと前記第２のユニットとが分離された状態であり、かつ、前記許可入力が行われた場合には、前記第１のユニットが備える機能の利用を制限することを特徴とすることを特徴とする通信装置。
【００８４】
（付記５）
第１のユニットと、前記第１のユニットと連結可能な第２のユニットと、を備える通信装置の制御方法であって、
前記第１のユニットと前記第２のユニットとが連結された状態、および、前記第１のユニットと前記第２のユニットとが分離された状態において、第１の加入者情報を用いた通信を行い、
前記第１のユニットと前記第２のユニットとが分離された状態であり、かつ、前記第１のユニットに備えられた第１の入力部または前記第２のユニットに備えられた第２の入力部に前記第２のユニットによる通信を許可する旨の許可入力が行われた場合には、前記第２の加入者情報を用いた通信を行うことを特徴とする通信装置の制御方法。
【００８５】
（付記６）
付記５記載の通信装置の制御方法において、
前記許可入力が行われずに前記第１のユニットと前記第２のユニットとが分離された場合には、前記第２の加入者情報を用いた通信を行わず、前記第２の入力部を介した入力に応じて、前記第２のユニットが備える機能を実行することを特徴とする通信装置の制御方法。
【００８６】
（付記７）
付記５または６記載の通信装置の制御方法において、
前記第１のユニットと前記第２のユニットとが分離された状態であり、かつ、前記許可入力が行われた場合には、前記第２のユニットが備える機能の利用を制限することを特徴とすることを特徴とする通信装置の制御方法。
【００８７】
（付記８）
付記５から７のいずれか１つに記載の通信装置の制御方法において、
前記第１のユニットと前記第２のユニットとが分離された状態であり、かつ、前記許可入力が行われた場合には、前記第１のユニットが備える機能の利用を制限することを特徴とすることを特徴とする通信装置の制御方法。
【００８８】
（付記９）
第１のユニットと、前記第１のユニットと連結可能な第２のユニットと、を備える通信装置内のプログラムに、
前記第１のユニットと前記第２のユニットとが連結された状態、および、前記第１のユニットと前記第２のユニットとが分離された状態において、第１の加入者情報を用いた通信を行う処理と、
前記第１のユニットと前記第２のユニットとが分離された状態であり、かつ、前記第１のユニットに備えられた第１の入力部または前記第２のユニットに備えられた第２の入力部に前記第２のユニットによる通信を許可する旨の許可入力が行われた場合には、前記第２の加入者情報を用いた通信を行う処理と、を実行させるプログラム。
【符号の説明】
【００８９】
１０    通信装置
１００，２００    メインユニット
１０１，２０１    入力部
１０２，２０７    通信部
１０３，２０２    制御部
１５０，２５０    サブユニット
１５１，２５１    入力部
１５２，２５７    通信部
１５３，２５２    制御部
２０３    ＲＯＭ
２０４    ＲＡＭ
２０５    タイマ部
２０６    表示部
２０８    近距離通信部
２５３    ＲＯＭ
２５４    ＲＡＭ
２５５  非接触ＩＣチップ
２５６    表示部
２５８    近距離通信部
【図１】
2013236352.tif 000003
【図２】
2013236352.tif 000004
【図３】
2013236352.tif 000005
【図４】
2013236352.tif 000006